【事件の表示】
　特願２００３−３７８８８０「画像形成装置及びその制御方法」拒絶査定不服審判事件〔平成１７年　６月　２日出願公開、特開２００５−１３８４９６〕について、次のとおり審決する。
【結　論】
　本件審判の請求は、成り立たない。
【理　由】
１．手続の経緯
　本願は、平成１５年１１月７日に出願したものであって、平成２１年９月１日付けで手続補正がなされ、平成２２年２月２５日付けで拒絶査定がなされ、これに対し、同年６月１日付けで拒絶査定に対する審判請求がなされると同時に手続補正がなされたものである。
　その後、平成２２年１０月１３日付けで、審判請求人に前置報告書の内容を示し意見を求めるための審尋を行ったところ、同年１２月７日に回答書が提出された。
　当審においてこれを審理した結果、平成２３年４月２０日付けで拒絶の理由を通知したところ、審判請求人は同年６月２２日付けで意見書及び手続補正書を提出した。
　
２．本願発明
　本願の請求項１ないし５に係る発明は、平成２３年６月２２日付け手続補正で補正された特許請求の範囲、明細書及び図面の記載からみて、特許請求の範囲の請求項１ないし５に記載された事項により特定されるものであり、その請求項１に係る発明（以下「本願発明」という。）は、以下のとおりである。
「透過型のシートに適した第１の搬送速度又は非透過型のシートに適した搬送速度であって前記第１の搬送速度より速い第２の搬送速度でシートを搬送し当該シートに対して画像形成を行う画像形成手段と、
　前記透過型のシートと前記非透過型のシートとを交互に出力する中差し印刷を開始する前に、最初のページから最後のページまでシートの搬送速度を前記第１の搬送速度に設定する設定手段と、
　前記中差し印刷を実行する際に、最初のページから最後のページまで、前記第１の搬送速度で前記透過型のシート及び前記非透過型のシートを搬送し、当該透過型のシート及び当該非透過型のシートに対して前記画像形成を行うように前記画像形成手段を制御する制御手段とを有することを特徴とする画像形成装置。」
　
３．引用刊行物
（ａ）平成２３年４月２０日付け当審の拒絶の理由に引用され、本願出願前に頒布された刊行物である特開平１０−１７１３０９号公報（以下「刊行物１」という。）には、以下の記載が図とともにある（下線は審決において付した。以下同じ。）。
 　ア　「【０００２】
【従来の技術】従来より、
ＯＨＰシートにプリント可能な複写機において、ＯＨＰシート１枚毎のプリントに普通紙を挿入して出力するＯＨＰ中差しモードを有した
【０００３】この
ＯＨＰ中差し機能は
上記ＯＨＰシート１枚コピー排出後、上記普通紙を１枚（白紙のまま）排出して、次にまたＯＨＰシートを１枚コピー排出後、普通紙を１枚
排出するように動作するもので、連続して複数枚のＯＨＰシートにコピーを行うときに、ＯＨＰシートの間に普通紙を挿入していくもの
【０００４】図１４にＯＨＰ中差しモードのときのコピー後の排出トレイの状態を示す。同図の（ａ）は中差し用紙（普通紙）にコピーしない場合、（ｂ）は中差し紙にもコピーする場合をそれぞれ示している。
【０００５】上記の機能は、複数枚のＯＨＰシートをそのまま出力すると、コピー中に該シートが帯電されて静電気を帯びているので、くっついてはがしづらくなるのを防止することと、中差し紙がＯＨＰコピーシートの表面を保護することを目的として設けられている。
【０００６】また、
中差し用の普通紙は
ＯＨＰシートにコピーした画像と同じ画像をコピーして出力することも可能である
【０００７】このＯＨＰ中差し機能を使用する場合
、使用者はＯ
操作パネル上のＯＨＰ中差しモード選択キーを押して、中差しの普通紙にコピーする／しない等の選択をし、このＯＨＰ中差し機能の選択を確定させてからコピースタートする
　
　上記記載及び図面を含む刊行物１全体の記載から、刊行物１には、以下の発明が記載されていると認められる。
「ＯＨＰシート１枚毎のプリントに普通紙を挿入して出力するＯＨＰ中差しモードを有するＯＨＰシートにプリント可能な複写機において、
　このＯＨＰ中差し機能は、上記ＯＨＰシート１枚コピー排出後、上記普通紙を１枚排出して、次にまたＯＨＰシートを１枚コピー排出後、普通紙を１枚排出するように動作し、
　操作パネル上のＯＨＰ中差しモード選択キーを押して、中差しの普通紙にコピーする／しない等の選択をし、このＯＨＰ中差し機能の選択を確定させてからコピースタートするものであって、
　中差し用の普通紙にＯＨＰシートにコピーした画像と同じ画像をコピーして出力することが可能な複写機。」（以下「引用発明」という。）
　
（ｂ）平成２３年４月２０日付け当審の拒絶の理由に引用され、本願出願前に頒布された刊行物である特開２００３−２３７１８９号公報（以下「刊行物２」という。）には、以下の記載が図とともにある。
　イ　「【０００５】
【発明が解決しようとする課題】先に説明したように従来のフルカラーのページプリンタにおいては、モノクロページとフルカラーページの印刷プロセスを切り換えることで、モノクロページの印刷時における高速出力、省電力、フルカラー用の印刷機構部の保護を実現している。しかしながら、
一般的には、印刷プロセスの切り替え動作は、それ自体に一定の処理時間を要し、そのための電力消費も生じてしまう
印刷プロセスの切り替え動作が印刷機構に負荷を与えるため、印刷プロセスの切り替えが頻繁に発生すると却って印刷機構の寿命を短くしてしまう虞がある
【０００６】例えば
カラーのページとモノクロのページがほぼ交互に現れるような文書を印刷する場合
印刷プロセスの切り替え動作が頻繁に発生する
モノクロの印刷プロセスがフルカラーの印刷プロセスより高速で、且つ消費電力が小さくても、印刷プロセスの切り替え動作の処理時間と電力消費及び印刷プロセスの切り替え動作により、モノクロ印刷時の処理時間及び電力消費が上回ってしまい、結果的に印刷速度、消費電力、印刷機構に与える負荷の全ての面で、全ページをフルカラーの印刷プロセスで印刷したほうが良い
　ウ　「【００６２】［実施の形態２］前述の実施の形態１では、印刷対象ページの前後のページの有無、前後のページの印刷プロセス、前後のページがカラー／モノクロのページであるかに着目して、印刷対象ページの印刷プロセスを決定していた。この実施の形態２では、更に、用紙サイズや紙種の切り替わりを考慮することで、より効率的な印刷プロセスを選択する。用紙サイズや紙種による印刷プロセスの変更例としては、例えば、厚紙や
ＯＨＰシートに印刷する場合にはトナーの定着性を良くするために用紙の搬送速度を遅くし、定着器での加熱時間を長くすることが行われている
【００６３】本実施の形態２に係るＬＢＰ１００では、普通紙、厚紙、ＯＨＰシートに印刷することが可能であり、各々の搬送速度が異なる印刷機構を有するＬＢＰに対して適用することができる。
【００６４】尚、本実施の形態２におけるＬＢＰ１００の内部構造、及びその制御ユニットの構成は、前述の実施の形態１において図１及び図２を参照して説明したものと同じであるので、それらの説明を省略する。また、中間バッファ２０９に生成される中間データの構造、及びその生成処理の処理手順も、前述の実施の形態１において図３及び図４を参照して説明したものと同じであるので、その説明を省略する。
【００６５】この種のＬＢＰにおいて、
用紙の搬送速度を切り替える際には、搬送中の用紙を全て機外に排出してから各種用紙搬送用のローラや回転多面鏡の回転速度を切り替えるのが一般的である
ＯＨＰシートをフルカラーの印刷プロセスで印刷した後、引き続いて普通紙にモノクロページを印刷する場合、その直前のページが機外に排紙されるまで普通紙の給紙を開始することができない
　
４．対比
　ａ　本願発明と引用発明とを比較すると、引用発明の「ＯＨＰシート」、「普通紙」、「『中差しモード』による『コピー』」及び「複写機」は、それぞれ本願発明の「透過型のシート」、「非透過型のシート」、「中差し印刷」及び「画像形成装置」に相当する。
　ｂ　引用発明は「ＯＨＰシート１枚コピー排出後、上記普通紙を１枚排出して、次にまたＯＨＰシートを１枚コピー排出後、普通紙を１枚排出するように動作し」、「中差し用の普通紙にＯＨＰシートにコピーした画像と同じ画像をコピーして出力することが可能な」ものであり、画像形成手段を有していることは当業者に自明であるから、該画像形成手段は、本願発明の「透過型のシートに適した第１の搬送速度又は非透過型のシートに適した搬送速度であって前記第１の搬送速度より速い第２の搬送速度でシートを搬送し当該シートに対して画像形成を行う画像形成手段」と「透過型のシート又は非透過型のシートを搬送し当該シートに対して画像形成を行う画像形成手段」の点で共通する。
　ｃ　引用発明は「このＯＨＰ中差し機能は、上記ＯＨＰシート１枚コピー排出後、上記普通紙を１枚排出して、次にまたＯＨＰシートを１枚コピー排出後、普通紙を１枚排出するように動作し、操作パネル上のＯＨＰ中差しモード選択キーを押して、中差しの普通紙にコピーする／しない等の選択をし、このＯＨＰ中差し機能の選択を確定させてからコピースタートするもの」であり、ＯＨＰ中差しモード選択キーを押して、中差しの普通紙にコピーするの選択をすることによって、普通紙にコピーする中差しモードを設定する設定手段を有していることが当業者に自明であるから、該設定手段は、本願発明の「前記透過型のシートと前記非透過型のシートとを交互に出力する中差し印刷を開始する前に、最初のページから最後のページまでシートの搬送速度を前記第１の搬送速度に設定する設定手段」と「透過型のシートと非透過型のシートとを交互に出力する中差し印刷を開始する前に、操作される設定手段」の点で共通する。
　ｄ　引用発明は「ＯＨＰ中差し機能は、上記ＯＨＰシート１枚コピー排出後、上記普通紙を１枚排出して、次にまたＯＨＰシートを１枚コピー排出後、普通紙を１枚排出するように動作」し、「中差し用の普通紙にＯＨＰシートにコピーした画像と同じ画像をコピーして出力する」ものあり、それらの動作を制御する制御手段を有することは当業者に自明であるから、該制御手段は、本願発明の「前記中差し印刷を実行する際に、最初のページから最後のページまで、前記第１の搬送速度で前記透過型のシート及び前記非透過型のシートを搬送し、当該透過型のシート及び当該非透過型のシートに対して前記画像形成を行うように前記画像形成手段を制御する制御手段」と「前記中差し印刷を実行する際に、前記透過型のシート及び前記非透過型のシートを搬送し、当該透過型のシート及び当該非透過型のシートに対して前記画像形成を行うように前記画像形成手段を制御する制御手段」の点で共通する。
　ｅ　よって、本願発明と引用発明は、
「透過型のシート又は非透過型のシートを搬送し当該シートに対して画像形成を行う画像形成手段と、
　前記透過型のシートと前記非透過型のシートとを交互に出力する中差し印刷を開始する前に、操作される設定手段と、
　前記中差し印刷を実行する際に、前記透過型のシート及び前記非透過型のシートを搬送し、当該透過型のシート及び当該非透過型のシートに対して前記画像形成を行うように前記画像形成手段を制御する制御手段とを有する画像形成装置。」
の点で一致し、以下の点で相違している。
［相違点１］本願発明は「透過型のシートに適した第１の搬送速度又は非透過型のシートに適した搬送速度であって前記第１の搬送速度より速い第２の搬送速度でシートを搬送」するものであるのに対し、引用発明は、透過型のシート又は非透過型のシートを搬送をするものの、それぞれの搬送速度が明らかでない点。
［相違点２］設定手段に関し、本願発明は「最初のページから最後のページまでシートの搬送速度を前記第１の搬送速度に設定する」と特定されているのに対し、引用発明は、本願発明のような設定手段ではない点。
［相違点３］制御手段に関し、本願発明は「最初のページから最後のページまで、前記第１の搬送速度で前記透過型のシート及び前記非透過型のシートを搬送し」と特定されているのに対し、引用発明は、本願発明のような搬送速度で制御するか否か明らかでない点。
　
５．判断
　上記相違点１について検討する。
　刊行物２には「ＯＨＰシートに印刷する場合にはトナーの定着性を良くするために用紙の搬送速度を遅くし、定着器での加熱時間を長くすることが行われている。」及び「用紙の搬送速度を切り替える際には、搬送中の用紙を全て機外に排出してから各種用紙搬送用のローラや回転多面鏡の回転速度を切り替えるのが一般的である。」と記載されているから、引用発明の画像成形手段として、透過型のシート（ＯＨＰシート）に対しては、透過型のシートに適した遅い速度で搬送し、非透過型のシート（普通紙）に対しては、非透過型のシートに適した早い搬送速度で搬送し、搬送速度を切り替える際には、搬送中の用紙を全て機外に排出してから各種用紙搬送用のローラや回転多面鏡の回転速度を切り替える画像成形手段を採用することは、当業者が容易になし得る程度のことであり、そのような搬送速度で搬送する画像成形手段を採用した引用発明は、本願発明の上記相違点１のような構成を有することになる。
　
　上記相違点２、３について検討する。
　上記相違点１で検討したように、透過型のシート（ＯＨＰシート）に対しては、透過型のシートに適した遅い速度で搬送し、非透過型のシート（普通紙）に対しては、非透過型のシートに適した早い搬送速度で搬送し、搬送速度を切り替える際には、搬送中の用紙を全て機外に排出してから各種用紙搬送用のローラや回転多面鏡の回転速度を切り替える画像成形手段を採用した引用発明は、中差しモードにおいて、透過型のシート１枚コピー排出後、非透過型のシートを１枚排出して、次にまた透過型のシートを１枚コピー排出後、非透過型のシートを１枚排出する度に、搬送中のシートを全て機外に排出してから、回転速度を切り替えることになり、刊行物２のイに記載のような問題点を生じることが明らかである。
　刊行物２のイに「印刷速度、消費電力、印刷機構に与える負荷の全ての面で、全ページをフルカラーの印刷プロセスで印刷したほうが良い」と記載されているように、全ページを遅い印刷プロセスで印刷することが示唆されているから、前記引用発明の中差し印刷を実行する際に、最初のページから最後のページまで、遅い搬送速度で透過型のシート及び非透過型のシートを搬送するように制御することは、当業者が容易になし得る程度のことである。
　そうすると、引用発明は「操作パネル上のＯＨＰ中差しモード選択キーを押して、中差しの普通紙にコピーする／しない等の選択をし、このＯＨＰ中差し機能の選択を確定させてからコピースタートする」ものであるから、ＯＨＰ中差しモード選択キーを押して、中差しの普通紙にコピーする／しない等の選択をする際、最初のページから最後のページまでシートの搬送速度を遅い搬送速度に設定することは設計事項にすぎないことである。
　ＯＨＰ中差しモード選択キーを押して、中差しの普通紙にコピーする／しない等の選択をする際、最初のページから最後のページまでシートの搬送速度を遅い搬送速度に設定される引用発明は、最初のページから最後のページまでシートの搬送速度を第１の搬送速度に設定する設定手段を有するものといえ、中差し印刷を実行する際に、最初のページから最後のページまで、遅い搬送速度で透過型のシート及び非透過型のシートを搬送するように制御する引用発明は、最初のページから最後のページまで、第１の搬送速度で透過型のシート及び非透過型のシートを搬送する制御手段を有するものといえる。
　よって、本願発明の上記相違点２及び３のような構成とすることは当業者が容易になし得る程度のことである。
　
　以上のように、本願発明の相違点１ないし３のような構成とすることは、刊行物１記載の発明及び刊行物２に記載の事項に基づいて当業者が容易に想到できたことであり、かかる発明特定事項を採用することによる本願発明の効果も当業者が予測できる範囲のものである。
　
６．むすび
　以上のとおり、本願発明は、刊行物１記載の発明及び刊行物２に記載の事項に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。